(57)【要約】【課題】市中に多くの駐車場が設置されているが、開始時間が決まっていて遅れると大変なことになる所用に車で出かけるときには、あらかじめ便利な駐車場を予約しておきたいものである。そのような駐車場の予約方法については、既に多くの特許文献に記載があるが、予約車室の合理的な確保法については、満足できるような方法がみられない。【解決手段】本発明は、駐車場の予約をつかさどる予約事業体が、駐車場のオーナと契約を結び、予約利用者に対しては、駐車当日以前から複数日にわたって、予約駐車場の車室を、一日をいくつかに分けた時間帯に分けて予約を受け付けるようにした駐車場を提供する【選択図】図３
2018197938.tif 000002
【特許請求の範囲】
【請求項１】
駐車場の予約と管理を行う予約事業体と、駐車場を予約して利用する予約利用者と、所有する駐車場の一部または全部を予約駐車場として利用させる駐車場の提供者からなり、予約事業体は、予約利用者に必要事項を登録させた予約利用者情報をデータベースに保存し、予約駐車場の提供者からは、駐車場の情報の提供を受けて駐車場オーナのデータベースに保存し、予約の実行に関して、予約事業体は予約利用者および予約駐車場の提供者との間に、それぞれ予約利用と予約駐車場の提供に関する契約を交わし、該契約に基づいて、予約事業体は、通信回線により閲覧が可能な駐車場の予約申し込みが可能な駐車場ごとの予約表をＷＥＢ上に表示し、予約利用者は、該予約表により予約駐車希望日と予約時間帯を選んで予約事業体に予約を申し込み、予約事業体は、該予約申し込みの受託の可否を判断し、予約申込者に予約の可否を通知し、予約が成立した場合には、予約時間毎に定めた予約料金を課金し、予約駐車場に予約利用者が到着した際に予約者であることを確認できる予約確認情報を予約券として発行するとともに、予約者が予約日の予約時間帯に予約駐車場に到着した際に、必ず駐車が可能なように、予約駐車場に空車室を確保することを特長とする駐車場の予約方法。
【請求項２】
請求項１の駐車場の予約法において、予約事業体がＷＥＢ上に表示する予約表は、予約駐車場ごとに、駐車当日以前の複数日にわたって日付ごとに、かつ一日をいくつかの時間帯に分けた形で作成され、予約利用者は、該予約表に表示された駐車時間帯を予約することを特長とした駐車場の予約方法。
【請求項３】
請求項１，２の駐車場において、一日をいくつかに分けた時間帯の予約表には、予約駐車場の予約時間帯や予約車室の残数に応じて、予約料金に変化をつけたことを特長とする駐車場の予約方法。
【請求項４】
請求項１、２、３の予約駐車場において、予約利用者が予約駐車場の車室をオークションにかけて予約を獲得できるように、予約事業体が一定の車室について予約希望者に対して希望する時間帯の駐車の予約に関して、即決価格、規定価格およびその中間の予約希望者が決める自由設定価格を提示し、即決価格については予約希望者の順に、自由設定価格については、高額な価格を提示した順に、規定価格については、即決と、自由価格による予約の決定をしてもなお利用可能な車室がある場合に、申し込み順に予約を成立させるようにすることを特長とする駐車場の予約方法。
【請求項５】
駐車場の一部を一般駐車場とした請求項１、２、３、４の予約駐車場において、予約車がスムーズに入場できるように予約車専用の入り口と、予約車であることを確認できる予約確認装置を備えたことを特長とする予約駐車場。
【請求項６】
請求項１、２、３、４の駐車場の予約法において、予約車室数を超える予約の申し込み者がある場合、予約事業者は既予約券の購入者から少なくとも、前述のC料金で予約券を買い戻すことができるように、予約サイト（ネット上）に広告を出し、譲渡に応じた所有者から購入した予約券をどうしても予約券を購入したい利用者のオークションで販売できるようにした。
【請求項７】
請求項１、２、３、４の駐車場の予約法において、予約が成立した予約利用者に対して、予約成立時に発行する予約確認票は、予約者の情報, 駐車場名、利用日と予約時間帯の情報を含有するものであり、利用者はQR（二次元コード）でネットから受信できるようにしたことを特長とする駐車場の予約法。
【発明の詳細な説明】
【技術分野】
【０００１】
本発明は、駐車場の予約方法に関する。
【背景技術】
【０００２】
市中に多くの駐車場が設置されているが、業務、買い物、イベント等に便利な駐車場は、稼働率が高い。特に業務やイベントなどで時間が決まっている時に、目的地近くで空き駐車場がないと焦って事故を起こしかねないし、時間に遅れてしまうことなどは、しばしば起こることである。したがって、もし目的地に近く便利な駐車場をあらかじめ予約できるなら、利用者にとって大変便利である。
【先行技術文献】
【特許文献】
【０００３】
【特許文献１】特開２００４−２６４９３４
【特許文献２】特開２００９−９３４９２
【特許文献３】特開２０１２−２１５９２３
【特許文献４】特開２００５−３１７６７
【特許文献５】特開Ｈ１０−１２２８８６
【特許文献６】特開２００４−２８０２４２
【特許文献７】特開２０１０−７９５５１
【特許文献８】特開２００９−２３７９００
【特許文献９】特開２００２−１９７２０８
【特許文献１０】特開Ｈ０５−２８５４１
【特許文献１１】特開平１０−２０８１９７
【特許文献１２】特開２００９−２２３７２１
【特許文献１３】特開２００９−０２１５１９
【特許文献１４】特開２００６−１７２１１４
【特許文献１５】特開２００１−２０９８９６
【特許文献１６】特開２００８−２４２５５５
【特許文献１７】特開２０１０−１０８２４０
【特許文献１８】特開２００１−６７５０２
【特許文献１９】特開Ｈ１０−０７８３３１
【特許文献２０】特開２００４−２９５８０４
【特許文献２１】特開２０１５−１１４８４０
【特許文献２２】特開２０１５−１５３３９７
【特許文献２３】特開２０１６−１４９３５
【特許文献２４】特開２００５−３１７６７５
【特許文献２５】特開２００９−２２１７１２
【特許文献２６】特開２０１０−２２５００４
【０００４】
このような駐車場の予約システムに関しては、駐車場の探索方法と予約の方法、現場での予約車の識別法、予約車室の確保法などが、上にあげたような多くの特許文献で開示されている。たとえば、特許文献１から１０には、目的地近くの空き駐車場を探索し、予約するシステムが開示されている。これらは、予約サイトにパソコンやスマホなどからアクセスし、提案された駐車場を予約、予約コード等の発行を受けるといったいろいろな方法が示されている。
【０００５】
特許文献１１と１２には、予約された車室を確保するため、他車が入庫するのを阻止する装置が示されている。また、特許文献１３から１９には、予約車が駐車場に到着した後、予約車であることを確認し、入庫阻止装置を解除するシステムが示されている。
【０００６】
さらに特許文献２１には、一旦予約した駐車場の予約を変更したり、キャンセルしたりする場合の精算法が、また特許文献２２では、利用者が目的地に近づいてきたとき、もしより便利な駐車場があればそちらに予約場所を変更する仕組みが開示されている。特許文献２３には、月極駐車場などの空き時間を貸し出すシステムにおいて、空き時間を正確に把握するため、貸し出し側の登録車の位置情報を検知して、遠方にいるときは、長い時間戻ってくることがないと判断し、その時間帯を他車に貸し出すといったシステムも開示されている。
【０００７】
また、予約は予約申し込み時に検索した駐車場に駐車することを保証するものであるが、予約時には満車のため、予約ができなかった駐車場に到着時間帯に空きスペースができた場合に、実際の駐車場に切り替えるような仕組みも、特許文献２４には開示されている。
【発明の概要】
【発明が解決しようとする課題】
【０００８】
しかし、以上述べた特許文献では、予約を何日前から行えるのかといったことや、数時間といった時間単位で予約できるのかどうかや、予約料金が高くてもよいからどうしても予約をしたいといったことを可能にするオークションのような仕組み、さらには予約料金を予約する時間帯によって変えるといった課題などについてはほとんど示されていない。
【０００９】
本発明は、このような課題に対して実用的で合理的な予約車室の確保法を提供するものである。
【課題を解決するための手段】
【００１０】
本発明では、予約業務を行う予約事業体が、予約可能な駐車場を提供できる駐車場のオーナーと、該事業体が提供する予約システムの利用に関する契約を行い、予約利用者あるいは予約利用法人は、予約事業体との間で、個人情報または法人の情報を登録する形で本発明の予約システムの利用契約を結ぶ。
【００１１】
予約事業体は、上記契約に関する情報を同事業体が管理するデータべースに保存するとともに、ＷＥＢ上に予約可能な駐車場の位置情報と、駐車場ごとに予約可能な時間帯と予約料金体系を示した予約表を表示し、利用者が検索できるようにする。予約を希望する利用者または利用法人は、同予約表を見て予約事業体に利用日と時間帯の予約を申し込む。予約事業体は、同申し込みに対して予約に残車室があることを自動的に確認して予約を受け付けるとともに予約確認情報を予約券として発行し、予約車が到着し時に駐車が可能なように予約駐車場の予約時間帯の車室の確保を行う（請求項１）。
【００１２】
予約事業体がＷＥＢ上に表示する予約表は、少なくとも予約駐車場ごとにカレンダー上にあらかじめ予約駐車場のオーナーとの間で契約した予約時間帯と予約料金体系、および予約利用日の予約状況がわかるものとした（請求項２）。
【００１３】
予約事業体が予約駐車場のオーナーとの間で契約する予約料金については、時間帯ごとに、また予約の状況に応じて、複数の段階（A、B、C料金など）といった変化をつけられるようにした（請求項３）。
【００１４】
高い予約料金を払ってでも駐車場を予約したいと希望する利用者に対して、一定の車室をオークションによる予約が可能とするようなシステムとした。オークションは予約できる残車室数が、予約全車室数のたとえば５％を切った状態からスタートし、即決料金、オークションで決まる料金などにより、予約を確保できるシステムとした（請求項４）。
【００１５】
予約した利用者が、予約時刻に駐車場に到着した時スムーズに駐車場に入場できるように、ゲート式駐車場入り口に予約車専用の入り口を設け、予約車であることを確認できる予約確認装置を設置することにした（請求項５）。
【００１６】
本発明の駐車場の予約システムでは、すでに予約券を購入した利用者が、それをオークションにかけて購入時より高額で譲渡することも可能にした。すなわち、予約車室数を超える予約の申し込み者がある場合、予約事業者は既予約券の購入者から少なくとも、前述のC料金で予約券を買い戻すことができるように、予約サイト（ネット上）に広告を出し、あるいは直接メールで通知し、譲渡に応じた所有者から購入した予約券をどうしても予約券を購入したい利用者のオークションで販売できるようにした。（請求項６）。
【００１７】
予約が成立した際に発行する予約券は、少なくとも、予約者の情報、駐車場名、利用日、予約時間帯の情報を含み、これらを２次元コードでネットから受信でき、予約車専用の入り口で、予約確認装置で読み取ることができるようにした（請求項７）。
【発明の効果】
【００１８】
本方法によれば、駐車場の予約者にとっては、前もって目的地の近傍に有利な駐車場を確保できる可能性が格段に高まり、駐車場の経営者にとっては、予約というサービスの対価として駐車料金とは別の予約券販売収入を得ることができる効果がある。
【図面の簡単な説明】
【００１９】
【図１】は、ゲート式駐車場の配置の例を示す図である。
【図２】は、本発明の駐車場予約を行うシステムの構成図である。
【図３】は、本発明の駐車場予約を行う仕組みを説明する図である。
【図４】は、本発明の駐車場の予約方法において、予約を申し込む際の駐車場の空き車室数と予約料金を示す表の一例である。
【図５】は、本発明の予約法において、予約希望日によって、残車室数が変わってくる様子と、オークションが行われる状態を示す表である。
【図６】は、本発明において、予約の申し込みと予約の成立を時系列で示す図である。
【図７】は、本発明で、予約を申し込む際の申込みの例を示す図である。
【図８】は、本発明で、夜間から翌朝までの予約を申し込む場合の申し込みの例を示す図である。
【図９】は、本発明で、オークションによる予約を行う場合のプロセスを示す図である。
【図１０】は、本発明で、予約した駐車時間に対して実際に駐車した時間が異なった場合の駐車料金の課金方法の例を示す図である
【図１１】は、本発明で、ゲート式駐車場の中に、予約駐車領域と一般駐車領域を分離した場合の駐車場の車室配置を示す図である。
【発明を実施するための形態】
【実施例１】
【００２０】
図１は、ゲート式駐車場の配置の例を示す図である。駐車場１には、多数の車室が用意されており、入り口ゲート３には発券機４があり、発券ボタンを押すことにより入り口ゲートバー５が開き駐車場に入場できる。駐車場から退出する際には、出口ゲート６で精算機７に駐車券を挿入し、表示される料金を投入することで、出口ゲートバー８が開く仕組みになっている。本発明では、このような駐車全体を予約駐車場とすることもできるし、その一部を予約車用に確保することもできる。
【００２１】
図２は、本発明の駐車場予約を行うシステムの構成図である。本システムは、予約を業務として行う予約事業体１１と、予約駐車を希望する予約システムの利用登録者１２と、予約可能な駐車場を提供する駐車場のオーナー１３から構成されている。予約事業体１１は、独立した事業体でもよいし、駐車場事業者の一部門でもよいが、利用者と駐車場オーナーの登録、契約、予約の実行、予約料金の徴収など、予約業務のすべてを遂行する。
【００２２】
このため、予約事業体１１は少なくとも駐車場オーナー情報、契約する駐車場の予約車室とその予約に関するすべての情報、予約利用者の登録情報、予約申し込み情報、成立した予約に関する情報、日々の予約と実際の駐車状況を管理、保管する管理表などのデータベース（ＤＢ）を設けている。
【００２３】
予約の受付においては、予約事業者は利用者が利用したい予約駐車場を検索し、予約可能な状態であるかどうかを見て予約を申し込みができるように、ホームページあるいは専用のアプリなど予約業務のすべてを遂行する業務ソフトを用意し、且つ通信端末などのインターフェースを設ける。
【００２４】
予約を利用する利用者登録の内容としては、住所、氏名、生年月日、マイナンバー、電話番号、メールアドレス、クレジットカード情報、銀行口座などのほか、予約の成立、不成立、予約料金徴収などの処理を行うための情報を含み、予約事業体との契約時にWEB上であるいは書面で申請し、登録される。
【００２５】
駐車場オーナー情報としては、駐車場のオーナー（会社あるいは個人）の住所、氏名あるいは名称、電話、メール、クレジット、銀行口座、マイナンバーなどを登録するほか、予約駐車場として提供する駐車場の情報、すなわち駐車場の所在地、車室数、駐車場の配置図、精算機、発券機、ゲートなどの設備などを登録する。さらに、予約契約情報として、予約の条件（予約料金、駐車料金、精算方法、支払い方法など）は、契約時あるいは随時登録、変更が可能なようにしている。
【００２６】
図３は、本発明の駐車場予約を行う仕組みを説明する図である。駐車場の予約を申込む場合、予約者２１は予約事業体２７が運営するWEB上の予約サイトで、目的地近辺の駐車場を検索し、２３で示されるような駐車場Ａの予約表２８を閲覧する。この例は、２０**年４月１日に２日後の４月３日の予約をする場合を示しているが、予約表２８には、駐車予定日である４月３日の現在の予約状況を示されている。
【００２７】
本発明の予約表２８は、駐車時間帯をいくつかに区分している。すなわち２８に示したように、一日を午前零時から午前８時５０分まで、９時から１１時５０分まで、１２時から１４時５０分まで、１５時から１８時５０分まで、１９時から２４時までの５つに区分している。このような駐車時間帯の設定は、予約事業体と駐車場オーナーの間で任意に設定できる。また、時間帯の間には、１０分の空白の時間帯を設けているが、これは前の予約者が予約時間帯より少し遅れて出庫し、次の予約者が少し時間前に到着するような場合にもスムーズに入庫ができるように余裕時間帯として設けたものである。ただし時間帯の設定もこの図に限定したものではなく、随時設定を変更することができる。
【００２８】
図３の駐車場Ａの例では、予約できる車室の数を５５と設定してある。本発明では、全予約車室数５５のうち、４０車室までは、一番安いＡ料金で予約ができ、次の１０車室は、少し高いＢ料金で予約ができ、予約車室が残り５車室になったら、予約料金をオークションで決まる料金、あるいは最も高いＣ料金に設定するようにしてある。予約表には、それぞれの予約料金で予約できる車室の残り数が表示されているので、予約希望者は、予約計画（ステップ２４として表示）を立てて、残りの車室がある枠を、該当する料金で予約申し込むことになる（ステップ２６）。
【００２９】
具体的な予約計画は、２５に示すように予約表で予約したい枠を黒く塗りつぶして指定することになる。すなわち、２５で示す予約計画は、９時から１４時５０分までの５時間５０分を予約する場合で、まだ残車室があるので、二つに時間帯とも最低のＡ料金で予約ができる。ただし、もし予約希望の時間帯のＡ料金に残車室がないときは、少し高いＢ料金で予約を申し込むようになる。
【００３０】
予約希望者からの予約申し込み２６を受けた予約事業体２７は、申し込みを受けた駐車場Ａの予約表を自動的に確認し、申込者の予約受付を完了し、ステップ２８で予約申込者に予約成立を通知し電子的な予約券を発行する。同時に、予約表の残車室数を自動的に更新する。
【００３１】
本発明の特徴の一つは、高い予約料金を払ってでも、便利な駐車場を予約したい利用者のために、オークションを可能にしたところにある。すなわち、予約希望時間帯の申込者がＢ料金の車室数を超えてしまった場合、残りの車室は、オークションで決まる料金、またはもっとも高いＣ料金で予約を獲得できるようなシステムにした点にある。
【００３２】
詳しくは、図４から図８を使って、予約およびオークション予約の方法を説明していく。まず、図４で本発明の駐車場の予約方法において、予約の申し込みが２０**年３月３１日で、翌日の４月１日の予約を申し込む場合の例を示す。予約サイトは、予約を希望する駐車場の時間帯と予約料金を示す予約料金表３１と、予約できる車室の予約状況を示す予約残車室数表３２を、クリックで交互に表示されるような仕組みにしてある。
【００３３】
予約希望者は、予約料金表３１で予約の料金体系と、予約残車室数表３２で予約希望日である４月１日の予約できる残車室があるかどうかを確認することができる。
【００３４】
今、予約希望者が朝の９時から１１時間５０分までの時間帯の予約を希望する場合、時間帯２では最も安いＡ２料金での予約は残車室数が０であるから、Ｂ２料金の残り５車室のうちの一つを予約申し込みすることになる。また、もし１２時から１４時間５０分までの時間帯の駐車を希望する場合は、時間帯３での駐車を予約することになる。しかしこの場合は、料金ＡもＢも残車室がないので、Ｂ２料金で予約できる残車室がなくなった場合には、オークション状態に入ることになる。この場合、予約残車室数表３２には、該当時間帯はオークションと表示される。なお、予約料金表でＡ料金体系の中でＡ１, Ａ２、Ｂ１，Ｂ２などと表示したのは、同じＡや Ｂ料金体系の中でも、利用の多い時間帯は予約券も高めに設定できることを示したものである。Ａ料金、Ｂ料金、Ｃ料金を終日同じに設定することができることは勿論である。
【００３５】
そしてオークション状態に入った場合は、その日の２４時、あるいはオークション状態に入ってから例えば５時間後を決済期限として、高額の予約金を申し出たものから予約券を発行する。ただし、決済期限までに予約を申し込んだ利用者が、残車室数より少ない場合は、自動的にＣ２料金で予約券が発行される。図４では、予約残車室表３２で、すでに６０名の予約申し込みがなされており、予約車室数の５５を５名分超えていることが表示される。本発明では、このようなケースで残りの５車室を高い予約料金を払ってでも予約したい利用者のためにオークションで予約券を発行することになる。
【００３６】
図４の例は、予約申し込みが２０**年３月３１日で、駐車希望日である４月１日の前日の場合であるから、決済は前日の２４時またはオークション状態に入ってからたとえば５時間後となるが、予約申し込みが駐車希望日の二日より前の時点で、オークションの状態が発生すれば、その日の２４時をオークションの締め切りとすることもできる。オークションの具体的方法については、後の図８でもう少し詳しく説明する。
【００３７】
また、駐車場の予約で複数の時間帯にまたがって、長い時間の予約を希望する場合は、複数の時間帯を同時に予約することになる。たとえば、図４の表３２で早朝から１１時５０分までの予約をしたい場合は、時間帯１と２の予約をすることになるが、時間帯１にはＡ１料金で２０車室が予約できるが、時間帯２については、Ｂ１料金で予約をすることになる。
【００３８】
この場合、利用者は、時間帯二つ分の予約料金を支払わなければならないが、連続した複数の時間帯を予約する場合には、予約料金を単純に加算するのではなく、二つ目の時間帯の予約料金は、５０％に割り引くなどのサービスを提供することもできる。このような割引サービスは、あらかじめ予約事業体と予約駐車場のオーナーとの間の契約で取り決め、予約料金表に表示される。
【００３９】
図５は、予約希望日の予約残車室数が、予約申し込みの日によって変わる様子を示したもので、２０＊＊年３月３１日が申込日として、二日後の４月２日が予約希望日の場合、Ａ料金での予約が可能な時間帯は、予約残車室数の表３６で時間帯１と時間帯５であり、時間帯３だけがオークション状態になっているが、予約希望日が翌日の４月１日の場合は、時間帯２と３でＢ料金までの予約が決まっていて、時間帯２、３と４ではオークション状態になっていることが分かる。
【００４０】
図６は、予約可能な駐車場Ａにおいて、駐車場の予約が時間経過とともにどのように変化していくかを示したものである。予約事業体４２の予約サイトで時間帯Ｂの予約は４１で示すように予約申し込み１を最初として、時間経過とともに予約申込２、３と次々に予約の申し込みが入ってくるが、この例では予約申し込み３までは、予約車室の空きが十分あるので最低の予約料金Ａで予約が成立したことを予約事業体から通知され、予約券が発行される。しかし、時間経過とともに申し込みが進むにつれてＡ料金での予約はいっぱいになり、予約料金は申し込こみ４からはＢ料金の残車室がなくなるまでＢ料金の予約になる。さらに遅れた予約申し込み５からはオークションによって予約を決める段階となる。
【００４１】
図７は、予約事業体に予約を申し込む際の予約計画表の例を示すものである。予約希望者は、図４の表を見て予約できる時間帯と予約料金の枠を選んで、予約事業体に予約の申し込みをする。図７の６１で示すCase1では、時間帯２から４までを予約料金Ｂで予約したい場合の例である。この時間帯では、すでにＡ料金での予約は一杯になっているケースである。
【００４２】
図7の予約申し込み表６２で示すCase2では、早朝の時間帯１〜時間帯３までを予約する場合を示す。３つの時間帯に予約残車室があり、最低のＡ料金で予約を申し込む場合である。６３で示すCase3では、時間帯１と２を予約するが、時間帯はＢ料金でしか予約ができないケースである。次に６４で示すCase4では、時間帯２から時間帯５までを予約したい場合の例で、時間帯によって予約料金が異なる場合である。
【００４３】
図８は、夜遅くから翌朝まで一泊の駐車を予約する場合の予約申し込み表の例７１で、前日の夜半の時間帯５の予約と、翌朝の時間帯１の予約を続けて行う場合である。
【００４４】
以上図６と図７は、予約申込者が予約車室数より少ない場合の予約の申し込み方法であるが、本発明の特長であるオークションによる予約の獲得法を次に説明する。図９は駐車場Ａの２０**年４月１日の予約を、駐車する前日の３月３１日に予約申し込みを行う場合を示す例で、予約表には、申し込み時点での予約残室の状況を示している。図９の表８３で分かるように、時間帯２、３と４でＢ料金の予約が一杯になっているので、オークションが行われるCaseになる。
【００４５】
個々では、予約希望者が、時間帯３の予約を希望するものとする。この時間帯は、すでにＢ料金の予約は一杯であり、申込者も６５名と予約車室数を１０名も超えているので、高い予約料金を申し出た利用者に予約を与えることになる。
【００４６】
予約利用者は、ステップ８４で予約事業体８５にオークションで予約を申し込むと同事業体は、オークション料金として、この例では３つのオプションを提供する。（１）は即決料金で通常のＣ料金より相当高いＣ１料金の提示である。（２）は申し込み順にＣ１料金での予約となるが、（１）の即決料金に応じる利用者があると、予約を獲得できないことになる。（３）は、即決料金よりも低いがＣ料金よりは高い料金を払ってでも予約を取りたい利用者に、自由な料金で申し込みをさせるものである。
【００４７】
オークションは、最後の予約が決定するまで行われるのが普通であるが、本発明では、その日の２４時あるいはオークション状態に入ってから一定時間（例えば５時間後）をもってオークションによる予約を決定する。Ｃ１料金を受け入れる利用者に対しては即決とするので、Ｃ１料金での申し込み順で予約を決定していく。
【００４８】
Ｃ１とＣ料金の中間を申請する利用者に対しては、オークションに入った日の２４時、またはオークションに入ってから一定時間後を締め切りとして高い予約料金を申請した人から順に予約を与えていく。Ｃ料金で申請した利用者は、Ｃ１料金やオークション料金を申請した利用者がいなかったか、少数でそれらに予約を与えても残りの車室がある場合には、Ｃ料金での申し込み順に予約を与えていくことになる。
【００４９】
以上で、オークションを含めた予約の方法を述べたが、実際には、予約者が予約の時間通りに駐車するかどうかは不明である。駐車場に遅れて到着すること、予定より長く駐車する場合を想定して、必要以上に長い時間の駐車予約をする（予約時間帯を多くとる）場合が予想される。その場合、図１０の９２に示すように予約に対してほぼ半分の時間しか駐車しないCase1の場合は、残りの予約残時間は車室が無駄に使われることになり、駐車場のオーナーとしては不利益を被る。
【００５０】
逆に、Case3に示すように予約時間帯をオーバーして駐車を続ける場合も想定されるし、case4に示すように予約より早く駐車場に到着して予定より早く退場する場合もあると想定される。この場合は、オーバーした時間帯を予約した予約者が駐車できない事態も予想されるし、早く到着したために駐車場には入れないことも予想される。したがって、駐車場の予約業務を行う場合は、これらの事態に対する対策を講じておかなければならない。
【００５１】
本発明では、予約時間帯を確保することに対する費用として、Ａ，Ｂ，Ｃ料金のような予約費を予約事業体が得ることで、予約事業体としての収入が保証されることを原則としている。したがって、実際に予約したかどうかは、ある意味では予約事業体には無関係だが、予約駐車場を提供している駐車場オーナーにとっては、予定より早く駐車を終了すると、実際の駐車料金が予定より少なくなり、しかも予約残時間は予約中として確保しているので、新たに当日の予約を受け付けられないといった不合理も出てくる。
【００５２】
予定時間帯より早く到着した場合は、予約駐車場に空きがあれば駐車できる。しかし、予約時間帯の終わりちょうどに退場し、次の時間帯の予約者が少し前に到着すると、退場と入場が同時となって駐車所が混乱することもあると予想される。本発明では、そのような混乱を避けるために前の予約時間帯とそのあとの予約時間帯には、一例として１０分の空き時間を設ける方法を採用できるようにした。
【００５３】
図１０の表９２で、予約時間より早く退場するCase1,  Case2,  Case4  のような場合には原則は、予約時間帯全部に駐車していたものとして駐車料金を支払ってもらうようにする。また、予約時間帯に再入場する場合も考慮して、予約車室は確保しておく。
【００５４】
明らかに、再入場をしない場合は、予約の利用者から予約事業体への連絡により、退場以降の予約車室確保をやめることができる。この場合は、予約残車時間分の駐車料を例えば半額等に減額して精算を行うようにもできる。このような場合は、連絡を受けたと同時に、当日の予約時間帯の予約残車室数を増やしておき、当日予約者を受けができるようにしておく。
【００５５】
次に、駐車場の満空表示については、予約がいっぱいになっているときは、実際の車両の到着が遅れていて、あるいは予定より早く退場していて実際には車室が空いていても、満車の表示にする。空表示は、予約車室に残車室がある場合に行う。この場合、予約駐車場であっても、入り口ゲートでその場予約をすることにより、駐車が可能としている。
【実施例２】
【００５６】
実施例１は、駐車場全体を予約駐車場とした場合を述べたが、駐車場を予約駐車場と一般の駐車場に分けて運営する場合もある。図１１は、予約車室と一般車室を分離する場合の実施例を示す。すなわち、この駐車場では、予約駐車領域１０１と、一般の駐車領域１０２があり、中間に両方を分離する仕切りを設けている。一般用の駐車領域１０２には、入り口に入り口ゲート１０５、発券機１０７、入り口ゲートバー１０６があり、また出口として出口ゲート１０８、出口ゲートバー１０９及び精算機１１０がおかれている。仕切りは、移動可能な仕切りとすることもできる。
【００５７】
一方、予約駐車領域の方は、入り口１１１を設け、予約車であることを確認し、入場時間を記録する予約確認装置１１３を設けている。予約者は、予約時に発行された予約券あるいは予約番号を、予約確認装置に設けてあるテンキーによって入力するか、  あるいは２次元コード（ＱＲコード（登録商標））を予約確認装置の読み取り機にかざす。これによって予約車であることを確認できる。予約者の到着は、別途スマホや携帯電話などの通信手段で予約事業体に通知し、確認を取ることもできる。これらの方法で予約者が予約時間帯の開始時間前後に到着したことを予約事業体が確認すると予約車入り口のゲートバー１１２が開いて予約駐車領域に入場できる。同時に入場時刻が記録され、出場時の駐車料金精算に反映される。
【００５８】
予約者が、駐車を終了して退場する場合は、予約駐車領域と、一般駐車領域を分離する仕切りの一部に設けたゲートバー１０３を開き、一般駐車領域の出口ゲートから退場することになる。出口の精算機は、予約者を認識して精算を行う。ゲートバー１０３については、予約領域から一般駐車領域には進行できるが、逆方向の進行を阻止する逆走防止装置を設置してもよい。また、より経済的な駐車場とする場合は、ゲートバーや逆走防止装置の代わりに、一般駐車場から予約駐車場領域への侵入を防止するような注意表示を、ボードあるいは地面に書いておくことでもよい。
【００５９】
図１１のように、一般駐車領域と予約駐車領域を分離し、予約車専用の入り口ゲートを設けたことにより、一般駐車場の入り口が、空車待ちで行列ができている場合でも、スムーズに予約駐車領域に駐車できるメリットがある。
【実施例３】
【００６０】
実施例１と２では、それぞれ、全車室を予約車室とした予約専用駐車場と、予約駐車領域と一般駐車領域を設け分離した場合を説明したが、実施例３は、予約駐車領域と一般駐車領域に特別な区分を設けない場合である。すなわち、図１１で両領域を分離する仕切りを設けない場合である。
【００６１】
この実施例では、予約車室数と一般駐車用の車室数は、任意に変えることができるようにしてある。そして、予約領域と駐車場の近辺で特別な催しがある場合には、予約車室数を多く設定し、閑散時期には、予約車用の車室数を少なく設定するようにする。
【００６２】
この実施例では、図４で、予約車室数が５５とあるのを、例えば２０車室のみを予約車用車室とし、予約料金はＡ料金のみとするといった設定にする。予約車室車室と一般用の車室の仕切りを設けないので、予約車室の確保は、満空表示で全車室数から予約車室数を差し引いた車室数をベースにして、それがいっぱいになれば満車と表示すればよい。
【００６３】
実施例３でも、一般車用の入り口のほか、予約車用の入り口を設けておけば、一般車両用の車室が満車で空車待ちの行列が出来ていても、予約車は予約車用の入り口から入場できる。
【００６４】
さらに、予約車の申し込みが多く、予約用車室が一杯になった時、一般車用の車室を予約車室に回して予約車室数を増やすことも可能になる。増やした予約車室は、オークションによる予約とすることも可能である。
【実施例４】
【００６５】
本発明のオークションにおいては、すでに予約券を購入した利用者から、予約事業体が予約券を高値で買い取り、オークションでも入手できなかった予約希望者に転売することも可能にした。
【００６６】
すなわち、予約車室数を超える予約の申し込み者がある場合、予約事業者は既予約券の購入者から少なくとも、前述のＣ料金で予約券を買い戻すことができるように、予約サイト（ネット上）に広告を出し、あるいは直接予約券を発行したお役利用者にメールで通知できるようにした。このような問いかけに応じて予約券の譲渡に応じた所有者から予約事業体が買い戻した購入した予約券は、再度オークションにかけてどうしても予約券を購入したい利用者に販売できるようにした。
【産業上の利用可能性】
【００６７】
以上述べたように本発明は、駐車場の利用者と経営者双方にとって、便利で簡便な駐車場の予約システムを提供できる。本発明の予約システムは、広く利用されるので、産業上大きな意義がある。
【符号の説明】
【００６８】
１  予約駐車場    ２  車室    ３  入り口ゲート    ４  発券機      
５  入り口ゲートバー    ６  出口ゲート    ７  精算機      ８  出口ゲートバー
１１  予約事業体    １２  予約システムの利用登録者情報    
１３  駐車場オーナー情報
２１  予約申し込み    ２２  予約検索    ２３  予約駐車所の予約表
２４  予約計画    ２５  予約申し込み表    ２６  予約申し込み
２７  予約事業体の業務    ２８  予約に関する返信
３１  予約料金表    ３２  予約残車室表    
３６  二日後を予約する場合の残車室数とオークションの状況を示す予約表
３７  翌日を予約する場合の残車室数とオークションの状況を示す予約表
４１  予約申し込み    ４２  予約事業体の予約業務
６１〜６４  予約申し込み表の例  
７１  一泊の予約の予約申し込み表の例
８１ 予約申込者    ８２  Web上の予約表でオークションの確認
８３  予約駐車場の予約状況を示す図    ８４  オークションの申し込み
８５  予約事業体のオークションの決定作業
８６  オークション料金の提示    ８７  オークションの申込
８８  オークションの成立  または不成立の返信
９１  成立した予約の時間帯を示す表
９２  予約と実査の駐車時間が異なるケースを示す表
１０１  予約駐車領域                    １０２  一般用の駐車領域
１０３  一般用と予約用の通路に設けたゲートバー
１０４  一般用と予約用の領域を区分する仕切り
１０５  一般用の入り口ゲート            １０６  一般用の入り口ゲートバー
１０７  発券機        
１０８  出口ゲート                      １０９  出口ゲートバー
１１０  精算機                          １１１  予約車用入り口
１１２  予約車用入り口のゲートバー      １１３  予約確認装置  
【図１】
2018197938.tif 000003
【図２】
2018197938.tif 000004
【図３】
2018197938.tif 000005
【図４】
2018197938.tif 000006
【図５】
2018197938.tif 000007
【図６】
2018197938.tif 000008
【図７】
2018197938.tif 000009
【図８】
2018197938.tif 000010
【図９】
2018197938.tif 000011
【図１０】
2018197938.tif 000012
【図１１】
2018197938.tif 000013